(57)【要約】【課題】  撮影者や被写体やストロボ装置が自由に移動しても、常に各々の被写体に最適な発光を可能にしたストロボ制御システムを提供すること。【解決手段】  床面に２次元的に複数配置した電極と、撮像装置に内蔵された電界通信型の送受信手段と、ストロボ装置に内蔵された電界通信型の送受信手段と、被写体識別カードに内蔵された電界通信型の送受信手段と、前記複数の電極に接続され、電極上の人物ないしは物体を特定し、電気信号に変換して通知する電界通信型の送受信手段とから構成され、前記撮像装置は、前記被写体識別カードを持った被写体の位置、前記ストロボ装置の位置、前記撮像装置の位置を前記電極の送受信手段により取得し、取得した位置情報と、前記撮像装置内の発光制御情報をもとに、前記ストロボ装置の発光方向、発光量等を制御することを特徴とする構成とした。【選択図】  図１
2012159628.tif 000002
【特許請求の範囲】
【請求項１】
撮像装置（１０１）、ストロボ装置（１１０）、被写体識別カード（１０３）とから構成され、人体乃至は物体に誘起される電界を利用して通信を行う、電界通信型のストロボ制御システムであって、
床面に２次元的に複数配置した電極（１００）と、
前記撮像装置に内蔵され、人体を介して通信する電界通信型の送受信手段（３０５）と、
前記ストロボ装置に内蔵され、筐体を介して通信する電界通信型の送受信手段（３１２）と、
前記被写体識別カードに内蔵され、人体を介して通信する電界通信型の送受信手段（３０９）と、
前記複数の電極に接続され、電極上に電界通信型の送受信手段を持った人物ないしは物体が存在する場合に、電極上の人物ないしは物体を特定し、電気信号に変換して通知する電界通信型の送受信手段（３３１−ａ）とから構成され、
前記撮像装置（１０１）は、前記被写体識別カード（１０３）を持った被写体の位置、前記ストロボ装置（１１０）の位置、前記撮像装置（１０１）の位置を前記電極の送受信手段により取得し、取得した位置情報と、前記撮像装置（１０１）内の発光制御情報をもとに、前記ストロボ装置（１１０）の発光方向、発光量を制御することを特徴とした電界通信型のストロボ制御システム。
【請求項２】
撮像装置（９０１）、ストロボ装置（９１０）、被写体識別カード（９０３）、制御装置（９０５）とから構成され、人体乃至は物体に誘起される電界を利用して通信を行う、電界通信型のストロボ制御システムであって、
床面に２次元的に複数配置した電極（９００）と、
前記撮像装置に内蔵され、人体を介して通信する電界通信型の送受信手段（１００５）と、
前記ストロボ装置に内蔵され、筐体を介して通信する電界通信型の送受信手段（１０１２）と、
前記被写体識別カードに内蔵され、人体を介して通信する電界通信型の送受信手段（１００９）と、
前記複数の電極に接続され、電極上に電界通信型の送受信手段を持った人物ないしは物体が存在する場合に、電極上の人物ないしは物体を特定し、電気信号に変換して通知する電界通信型の送受信手段（１０２４−ａ）とから構成され、
前記制御装置（９０５）は、前記被写体識別カード（９０３）を持った被写体の位置、前記ストロボ装置（９１０）の位置、前記撮像装置（９０１）の位置を前記電極の送受信手段（１０２４−ａ）により取得し、取得した位置情報と、前記撮像装置内の発光制御情報をもとに、前記ストロボ装置の発光方向、発光量を制御することを特徴とした電界通信型のストロボ制御システム。
【請求項３】
前記ストロボ装置（５１０〜５１９）が複数あり、
被写体との位置関係において所定条件が合致したストロボ装置を制御することを特徴とする請求項1又は請求項２に記載の電界通信型のストロボ制御システム。
【請求項４】
被写体識別カード（７０３、７０６）が複数あり、
更に、被写体識別カードに被写体固有の情報を記録させるためのメモリ手段を有し、
前記メモリ手段には被写体の優先度情報を持たせて、前記優先情報に基づいて、周囲のストロボ装置を制御することを特徴とする請求項1乃至請求項３の何れか１項に記載の電界通信型のストロボ制御システム。
【発明の詳細な説明】
【技術分野】
【０００１】
本発明は、ストロボ制御システムに関し、特にストロボ装置、撮像装置などを含む制御方法、及び、制御システムに関するものである。
【背景技術】
【０００２】
従来、ワイヤレス多灯ストロボシステムにおいて、各ストロボの発光量調整や発光方向の調整などは、ある程度の知識や経験が必要であった。また、撮影者や被写体の位置は限定され、撮影位置を変える度にストロボの位置、発光量調整、発光方向調整が必要であった。
【０００３】
そこで、知識や経験がなくても、思い通りのストロボ発光の実現が望まれる。また、撮影者や被写体の位置を限定しなくても、自動でストロボの発光量、発光方向を制御し、最適なストロボ発光を実現することが望まれる。
【０００４】
例えば、特許文献１には、カメラの位置を自由に変化させた場合でも、ストロボ装置の向きをカメラの被写体に追従させるための技術が開示されている。
【０００５】
特許文献１では、カメラのＡＦ（Ａｕｔｏ  Ｆｏｃｕｓ）時の合焦距離から被写体までの距離を求め、カメラとストロボの距離は各々内蔵するＧＰＳ（Ｇｌｏｂａｌ  Ｐｏｓｉｔｉｏｎｉｎｇ  Ｓｙｓｔｅｍ）などにより求めている。これらの距離情報から幾何学的にストロボの発光方向を算出し、ストロボ装置の向きをカメラの被写体に自動で追従させる。
【先行技術文献】
【特許文献】
【０００６】
【特許文献１】特開２０１０−４８８７７号公報
【発明の概要】
【発明が解決しようとする課題】
【０００７】
しかしながら、上述の特許文献に開示された従来技術では、被写体が複数存在する場合に適切な発光制御ができない場合がある。従来技術では、撮影方向を方位センサなどにより求めているため、主被写体が画角中心にいない場合、方位センサが示す撮影方向とストロボ装置の最適な発光方向が一致するとは限らない。
【０００８】
また、従来技術では被写体までの距離を合焦距離により算出しているが、主被写体にピントが合わない写真を撮る場合、主被写体に適切な発光ができない場合がある。
【０００９】
さらに、従来技術ではカメラ、ストロボの位置をＧＰＳや移動体通信網などの複数の基地局から発信されるデータを利用して算出しているが、現在は屋内での位置精度があまり高くないため、より細やかなストロボ制御を実現することが難しい。
【００１０】
そこで、本発明の目的は、撮影者（カメラ）や複数の被写体やストロボ装置が自由に移動しても、常に各々の被写体に最適な発光を可能にしたストロボ制御システムを提供することである。
【課題を解決するための手段】
【００１１】
上記目的を達成するために、本発明に係るストロボ制御システムは、
床面に２次元的に複数配置した電極と、
カメラに内蔵され、人体を介して通信する電界通信型の送受信手段と、ストロボ装置に内蔵され、筐体を介して通信する電界通信型の送受信手段と、被写体識別カードに内蔵され、人体を介して通信する電界通信型の送受信手段と、前記複数の電極に接続され、電極上に電界通信型の送受信手段を持った人物ないしは物体が存在する場合に、電極上の人物ないしは物体を特定し、電気信号に変換して通知する電界通信型の送受信手段とから構成され、前記カメラは、前記被写体識別カードを持った被写体の位置、前記ストロボ装置の位置、前記カメラの位置を前記電極の送受信手段により取得し、取得した位置情報と、前記カメラ内の発光制御情報をもとに、前記ストロボ装置の発光方向、発光量等を制御することを特徴とする。
【発明の効果】
【００１２】
本発明によれば、撮影者（撮像装置）や複数の被写体やストロボ装置が自由に移動しても、常に各々の被写体に最適な発光を可能にしたストロボ制御システムを提供することができる。
【図面の簡単な説明】
【００１３】
【図１】本発明の第１の実施例による使用例を示した模式図である。
【図２】本発明の第１の実施例による電極の結線例である。
【図３】本発明の第１の実施例によるシステム構成例である。
【図４】本発明の第１の実施例によるストロボ制御フローである。
【図５】本発明の第１の実施例による使用例を示した模式図である。
【図６】本発明の第１の実施例によるストロボ制御フローである。
【図７】本発明の第１の実施例による使用例を示した模式図である。
【図８】本発明の第１の実施例によるストロボ制御フローである。
【図９】本発明の第２の実施例による電極の結線例である。
【図１０】本発明の第２の実施例によるシステム構成例である。
【発明を実施するための形態】
【００１４】
以下に、本発明の好ましい実施の形態を、添付の図面に基づいて詳細に説明する。図１は、本発明の実施形態にかかわるストロボ制御システムの模式図である。
【００１５】
［実施例１］
以下、図１〜図８を参照して、本発明の第1の実施例による、ストロボ制御システムについて説明する。
【００１６】
図１は撮影スタジオなどを上から見た模式図となっている。
【００１７】
図１の１００は床面に２次元的に複数配置した電極を表している。床１００は、それぞれの区切られた領域に人体通信部を備えている。人体通信部とは、人体乃至は物体表面に微弱な電界信号を誘起し、その電界信号を送信、受信する送受信機を指す。同じく、人体通信部を携帯した人やものが電極上に接近することで相互にデータのやり取りが可能となる。
【００１８】
１０１は人体通信部を内蔵した撮像装置である。撮像装置に人体通信部を内蔵することで、撮像装置を携帯する撮影者１０２の人体を介して、撮像装置の人体通信部と床の電極の人体通信部が通信を行い、撮影者１０２が床面上（１００）のどの位置にいるのかを知ることができる。
【００１９】
１０３は人体通信部を内蔵した被写体識別カードである。同じく、被写体識別カードに人体通信部を内蔵することで、被写体識別カードを携帯する被写体１０４の人体を介して、カードの人体通信部と床の電極の人体通信部が通信を行い、被写体１０４が床面上（１００）のどの位置にいるのかを知ることができる。
【００２０】
１１０は人体通信部を内蔵したストロボ装置である。同じく、ストロボ装置に人体通信部を内蔵することで、ストロボ装置の人体通信部と床の電極の人体通信部が通信を行い、ストロボ装置が床面上（１００）のどの位置にいるのかを知ることができる。
【００２１】
図２は床の電極の結線例であり、床にある電極が相互に接続される様子を示している。床面１００には、電極（２０１、２０２、２０３、２０４…）が複数配置され、各電極上に撮影者１０２や被写体１０４、ストロボ装置１１０がくることで、その存在を他の電極に通知することができる。他の電極に通知する内容としては、電極を識別できる識別番号とともに、その電極上にいる撮影者ないしは被写体、ストロボ装置の識別番号を一緒に送ることで、どの電極上にどの対象がいるかを判別できるようにする。
【００２２】
図３にはシステム構成図を示している。
【００２３】
１００は図１で説明した複数電極を配置した床を表しており、電極部３２４−ａには電極３３０−ａ、人体通信部３３１−ａ、制御部３３２−ａ、通信Ｉ／Ｆ３３３−ａ等を備えている。人体通信部３３１−ａは、床表面に配置される電極３３０−ａを介して、電極上にくる他の人体通信部と通信を行う。制御部３３２−ａは、人体通信部３３１−ａからの情報を通信Ｉ／Ｆ３３３−ａを介して、他の電極に通知する。通信Ｉ／Ｆは有線であっても、無線であっても構わない。他の電極部３２４−ｂ、３２４−ｃも同様の構成のため、説明を省略する。この構成をとることで、撮像装置１０１が被写体識別カード１０３、ストロボ装置１１０の位置を知ることができる。
【００２４】
１０１は撮像装置であり、制御部３００、撮像部３０１、発光部３０２、表示部３０３、姿勢検出部３０４、人体通信部３０５、操作部３０６、メモリ３０７、電源部３０８等から構成される。撮像部３０１は、ＣＭＯＳセンサやＣＣＤセンサからなる撮像素子と、撮像素子に光学像を結像するレンズ、絞り、シャッター、Ａ／Ｄ変換回路等からなる。発光部３０２は、撮像装置３０１に内蔵されるストロボ装置であり、内蔵ストロボの使用の有無によって、外部のストロボ装置３１０の発光量を調節する。表示部３０３は、撮像部３０１からの画像データの表示や、撮像装置３０１のメニュー表示やエラーなどの動作状態表示を行う。姿勢検出部３０４は、撮像装置の姿勢を検出するためのもので、加速度センサやジャイロセンサ、地磁気センサ等で構成される。人体通信部３０５は、人体乃至は物体に誘起された電界信号を受信、送信する送受信機であり、撮影者の人体を介して床の電極の人体通信部と通信することができる。操作部３０６は、ボタン及びダイヤル等から構成されており、撮影指示や撮像装置１０１の設定等ができるものとする。メモリ３０７は、撮像部３０１で撮像された画像データを一時的に保持するバッファメモリや、表示部３０３の画像表示用メモリ、制御部３００の作業領域として使用される。また、制御部３００で実行されるプログラムやパラメータ等が格納される。また、人体通信するにあたり、撮像装置であることを識別するための識別番号が格納される。電源部３０８は、撮像装置１０１の電源部であり、アルカリ電池やリチウム電池等の一次電池やＮｉＣｄ電池やＮｉＭＨ電池、Ｌｉ電池等の二次電池、ＡＣアダプター等から構成される。制御部３００は、撮像装置１０１の制御を行う。また、制御部３００では、人体通信部３０５を介して、被写体認識カードの位置、ストロボの位置を把握し、ストロボの発光方向や発光量の制御を行う。
【００２５】
１０３は被写体識別カードであり、人体通信部３０９、制御部３１０、メモリ３１１等で構成される。人体通信部３０９は、人体乃至は物体に誘起された電界信号を受信、送信する送受信機であり、被写体の人体を介して床の電極の人体通信部と通信することができる。メモリ３１１には、被写体情報が記憶されている。被写体情報には、被写体識別番号や被写体の色、被写体の大きさなどを含む。制御部３１０は被写体情報を要求された場合に、人体通信部３０９を介して、メモリ３１１に保存されている被写体情報を送信する。
【００２６】
１１０はストロボ装置であり、人体通信部３１２、制御部３１３、発光部３１４、メモリ３１５、駆動部３１６等で構成される。人体通信部３１２は、人体乃至は物体に誘起された電界信号を受信、送信する送受信機であり、ストロボ装置の筐体を介して床の電極の人体通信部と通信することができる。発光部３１４は、制御部３１３の指示に基づき、所望の発光量で発光動作を行う。発光部３１４は、例えば、キセノン発光管、メインコンデンサ、反射板などから構成される。メモリ３１５は、人体通信を行う際にストロボであることを認識するためのストロボ識別番号を記憶するのに用いられる。また、ストロボの発光制御情報、駆動制御情報などを記憶するために用いられる。駆動部３１６は、制御部３１３の指示に基づき、ストロボの発光方向を制御する。
【００２７】
図４にはストロボ制御フローを示してあり、制御部３００にて制御するためのフローとなっている。
【００２８】
Ｓ４２０では最初に撮影者の位置情報を取得する。撮像装置１０１に内蔵された人体通信部と撮影者が立っている電極に内蔵される人体通信部との間で通信を行い、撮像装置は撮影者の位置情報を取得する。
【００２９】
次に、Ｓ４２１で被写体の位置情報を取得する。被写体識別カード内に内蔵される人体通信部と電極を介して撮像装置１０１に内蔵される人体通信部との間で通信を行い、撮像装置は被写体の位置情報を取得する。
【００３０】
Ｓ４２２では、Ｓ４２０、Ｓ４２１で取得した位置情報をもとに撮影方向を算出する。撮影方向は撮影者の位置と被写体の位置を結ぶ直線方向とする。
【００３１】
Ｓ４００ではストロボ装置の位置情報を取得する。Ｓ４００では、被写体の位置とストロボ装置の位置から、被写体周辺のストロボ装置の有無を調べる。
【００３２】
撮像装置１０１では、被写体への発光制御情報として、直接光を利用するか、バウンス光を利用するかを設定することができるものとする。
【００３３】
また、発光方向は被写体の前方、後方、右側面、左側面などを選択し、設定できるものとする。さらに、直接光、または、バウンス光の発光量を設定できるものとする。
【００３４】
Ｓ４０１では、撮像装置に設定されている発光制御情報をもとに、所望の発光制御が可能かどうかを判定している。
【００３５】
Ｓ４０１にて、発光可能と判定された場合はＳ４２３に遷移し、発光が不可能と判定された場合はＳ４０３に遷移する。Ｓ４２３では、ストロボ装置の発光方向と発光量を指示する。ストロボ装置は指示された発光方向に応じて、発光部を回転駆動させて、発光方向を決定する。Ｓ４０３では、撮影者に対して、所望の発光制御ができない旨のエラー通知を行う。
【００３６】
Ｓ４０２では、人体通信により、ストロボの充電完了通知（略して、充完通知と呼ぶ）の有無を確認する。充電が完了していない場合は、Ｓ４０５にて撮影準備が整っていない旨、撮影者に通知し、充電が完了した場合は、Ｓ４０４にて撮影準備が整った旨、撮影者に通知する。
【００３７】
Ｓ４０６では、レリーズ指示の有無を確認している。レリーズ指示がある場合は、Ｓ４０７に移行し、レリーズタイミングでストロボに対し発光指示を出す。発光指示は人体通信によって、通知するものとする。レリーズ指示がない場合は、Ｓ４０８に移行し、被写体識別カード１０３、ストロボ装置１１０、撮像装置１０１の移動の有無を確認している。移動がある場合は、再度最適なストロボ発光ができるかどうかを確認する必要がある。
【００３８】
Ｓ４０８で移動が検出された場合は、Ｓ４０９に移行する。Ｓ４０９では、移動によって被写体識別カード１０３、ストロボ装置１１０が消失しているかどうかの確認を行う。被写体、ストロボ装置が消失した場合は、ストロボ制御フローを終了する。
【００３９】
Ｓ４０９にて被写体、ストロボの消失がない場合は、再度Ｓ４００からやり直し、ストロボ発光が可能かどうかを確認する。
【００４０】
一方、Ｓ４０８で被写体、ストロボ装置、撮影者の移動がなかった場合、Ｓ４１０に移行し、撮像装置１０１のストロボ制御情報に変更があるか否かを判別する。ストロボ制御情報に変更がある場合は、再度Ｓ４００に移行し、最適な発光ができるかどうかを確認する。Ｓ４１０において、ストロボ制御情報に変更がない場合はＳ４０６に移行し、レリーズ指示の有無を確認するステップを繰り返す。
【００４１】
以上のステップにより、撮影者、被写体が動いた場合、ストロボ装置を動かした場合でも、最適なストロボ制御を行うことができる。
【００４２】
図５にはストロボ装置が複数配置された場合の模式図を示している。
【００４３】
５００は、図１の１００同様、床面に２次元的に複数配置した電極を表している。床５００は、それぞれの区切られた領域に人体通信部を備えている。５０１、５０２は、図１の１０１、１０２と同様に、人体通信部を備えた撮像装置、撮影者である。５０３、５０４は、図１の１０３、１０４と同様に、人体通信部を備えた被写体識別カード、被写体を表している。５１０〜５１９は、それぞれに人体通信部を有するストロボ装置を表している。図５では、撮像装置５０１に設定されるストロボ制御情報をもとに、各ストロボの発光制御を行う。ストロボ制御情報に合致しないストロボ装置は発光を禁止する。
【００４４】
図６に図５の構成でのストロボ制御フローを示した。
【００４５】
Ｓ６００〜Ｓ６０３は、図４の場合と同じなので、説明を省略する。
【００４６】
Ｓ６０４では、複数あるストロボ装置が撮像装置内の設定に適した位置にあるかどうかを判定する。設定に合致するストロボ装置に対しては、発光許可を通知する（Ｓ６０５）。一方、設定に合致していないストロボ装置に対しては、発光禁止を通知する（Ｓ６０６）。複数のストロボを一度に発光させる場合は、被写体への発光量が適切になるように、各ストロボへの発光量を決める。Ｓ６０７では、ストロボ装置の発光方向、発光量を指示する。ストロボ装置は指示された発光方向に応じて、発光部を回転駆動させて発光方向を調整する。
【００４７】
Ｓ６０８にて、全ストロボの設定が完了した場合はＳ６０９に移行し、全ストロボからの充完通知が来たかどうかを確認する。全ストロボから充完通知がある場合は撮影者に対し、撮影準備が整った旨を表示し（Ｓ６１０）、充完通知がない場合は撮影準備ができていない旨を表示する（Ｓ６１１）。
【００４８】
Ｓ６１２では、レリーズ指示があるか否かを判定しており、レリーズ指示がある場合はＳ６１３に移行し、全ストロボに発光通知を出す。ここで、Ｓ６０５で発光許可を得ているストロボ装置のみが発光するものとする。Ｓ６０６にて、発光禁止の指示を受けているストロボ装置は発光通知があっても、発光しないものとする。
【００４９】
Ｓ６１４、Ｓ６１５、Ｓ６１６は図４の場合と同じなので、説明を省略する。
【００５０】
図７には、被写体が複数いる場合の模式図を示している。
【００５１】
７００は、図１の１００同様、床面に２次元的に複数配置した電極を表している。床７００は、それぞれの区切られた領域に人体通信部を備えている。７０１、７０２は、図１の７０１、７０２と同様に、人体通信部を備えた撮像装置、撮影者である。７０４、７０５は、図１の１０４と同様に、被写体を表している。７０３、７０６は、図１の１０３と同様に、人体通信部を備えた被写体識別カードを表している。ここで、各被写体識別カードには、被写体優先度情報が記憶してあり、どの被写体を優先的に照射するかを識別できるものとする。７１０〜７１９は、それぞれに人体通信部を有するストロボ装置を表している。
【００５２】
図７では、複数いる被写体に各々に適切な発光ができるように周辺のストロボ装置を制御する。各被写体に優先順位をつけるため、被写体識別カードには優先度を記憶させておき、その優先度に応じて、周辺のストロボ装置の発光制御を行う。撮像装置７０１のストロボ制御設定は被写体毎に持つことができ、各々の被写体に合ったストロボ制御を設定できるものとする。制御装置７０１には、各被写体への発光制御情報として、直接光を利用するか、バウンス光を利用するかを設定することができるものとする。発光方向は被写体の前方、後方、右側面、左側面などを選択し、設定できるものとする。さらに、直接光、または、バウンス光の発光量を設定できるものとする。
【００５３】
図８には、図７の構成の場合のストロボ制御フローを示している。図８のフローでは、例として、被写体７０４の優先度が被写体７０５に比べて高いものとしている。
【００５４】
Ｓ８００〜Ｓ８０３は、図４、図７と同様のため、説明を省略する。
【００５５】
Ｓ８０４では、優先度の高い被写体７０４に対して、周辺のストロボ装置が発光可能かどうかを調べる。優先度の高い被写体に最適に発光ができるように、優先的に調べる。Ｓ８０５では、次に優先度の高い被写体に対して、周辺のストロボ装置が発光可能かどうかを調べる。図８のフローには記載がないが、被写体がさらに複数いる場合には順次優先度の高い被写体から発光可能かどうかを確認する。
【００５６】
被写体に適した発光が可能な場合は、Ｓ８０６において、ストロボ装置に対して発光許可を通知する。続いて、Ｓ８０８にて、ストロボ装置の発光方向と発光量を指示する。複数のストロボを発光する場合は被写体への発光量が適切になるように各ストロボの発光量を調節する。
【００５７】
一方で、被写体に適した発光ができないストロボ装置に関しては、発光禁止を通知する（Ｓ８０７）。Ｓ８０９以降は、図６と同様となるため、説明を省略する。
【００５８】
以上の実施形態に従えば、撮影者や被写体、ストロボ装置が自由に移動しても、常に各々の被写体に最適な発光を可能にしたストロボ制御システムが実現できる。また、ストロボ装置が複数存在する場合の各ストロボ装置の適切な制御方法が実現できる。さらには、被写体が複数いる場合においても、各被写体に適切な発光が可能なストロボ制御システムが実現できる。
【００５９】
［実施例２］
以下、図９、図１０を参照して、本発明の第２の実施例による、ストロボ制御システムについて説明する。
【００６０】
図９には、床の電極の結線例であり、各電極は制御装置７０５に接続され、制御装置から撮像装置７０１、ストロボ装置７１０等に制御コマンドが発行されるシステムが示されている。
【００６１】
実施例１では、撮影者、被写体、ストロボ装置の位置を取得し、被写体に適切な発光ができるようにストロボ装置を制御するのは撮像装置の役割であった。実施例２では制御装置７０５でストロボ装置の制御を行う場合について説明する。
【００６２】
図９の９００は２次元的に電極（９５１、９５２、９５３、９５４…）を敷き詰めた床面である。９０１は人体通信部を内蔵した撮像装置である。撮像装置に人体通信部を内蔵することで、撮像装置を携帯する撮影者９０２の人体を介して、撮像装置の人体通信部と床の電極の人体通信部が通信を行い、撮影者９０２が床面上（９００）のどの位置にいるのかを知ることができる。９０３は人体通信部を内蔵した被写体識別カードである。同じく、被写体識別カードに人体通信部を内蔵することで、被写体識別カードを携帯する被写体９０４の人体を介して、カードの人体通信部と床の電極の人体通信部が通信を行い、被写体９０４が床面上（９００）のどの位置にいるのかを知ることができる。９１０は人体通信部を内蔵したストロボ装置である。同じく、ストロボ装置に人体通信部を内蔵することで、ストロボ装置の人体通信部と床の電極の人体通信部が通信を行い、ストロボ装置が床面上（９００）のどの位置にいるのかを知ることができる。９０５は制御装置であり、たとえばＰＣ（Ｐｅｒｓｏｎａｌ Ｃｏｍｐｕｔｅｒ）などである。全電極は制御装置９０５に接続されており、接続インターフェース９５０は有線であっても、無線であっても構わない。
【００６３】
次に、図１０にシステム構成図を示している。
【００６４】
図１０中、実施例１の図２と重複するブロックの説明は省略する。図２のシステム構成に加え、制御装置９０５が追加される。制御装置９０５は表示部１０５１、操作部１０５２、通信Ｉ／Ｆ１０５３、メモリ部１０５４、制御部１０５５とから構成され、例えば、ＰＣのようなものである。表示部１０５１には、液晶ディスプレイ等であり、各電極配置と撮影者、被写体、ストロボ装置がどの電極上にいるかなどを表示する。また、所望のストロボ発光制御ができない場合の警告表示等も行う。操作部１０５２はキーボードやマウスなどの操作部材である。通信Ｉ／Ｆ１０５３は各電極部と通信するための通信インターフェースであり、無線であっても、有線であってもよい。メモリ部１０５４は制御部１０５５の作業領域として使用される。また、制御部１０５５で実行されるプログラムやパラメータ等が格納される。
【００６５】
制御装置９０５では、実施例１の図４、図６、図８に示したようなストロボ制御フローを撮像装置に代わって実行するものとする。
【００６６】
以上の実施形態に従えば、撮影者や被写体、ストロボ装置が自由に移動しても、常に各々の被写体に最適な発光を可能にしたストロボ制御システムが実現できる。また、ストロボ装置が複数存在する場合の各ストロボ装置の適切な制御方法が実現できる。さらには、被写体が複数いる場合においても、各被写体に適切な発光が可能なストロボ制御システムが実現できる。
【００６７】
本発明の好ましい実施形態について説明したが、本発明はこれらの実施形態に限定されず、その要旨の範囲内で種々の変形及び変更が可能である。
【符号の説明】
【００６８】
１００  ２次元的に複数の電極を配置した床
１０１  撮像装置
１０２  撮影者
１０３  被写体識別カード
１０４  被写体
１１０  ストロボ装置
【図１】
2012159628.tif 000003
【図２】
2012159628.tif 000004
【図３】
2012159628.tif 000005
【図４】
2012159628.tif 000006
【図５】
2012159628.tif 000007
【図６】
2012159628.tif 000008
【図７】
2012159628.tif 000009
【図８】
2012159628.tif 000010
【図９】
2012159628.tif 000011
【図１０】
2012159628.tif 000012